(57)【要約】      （修正有）【課題】片手で握持部を握持してこの握持動作に続く一連の片手操作により容易に閉塞蓋を開いて飲料を飲むことができる飲料用容器を提供すること。【解決手段】口付部２を、閉塞蓋３の枢着部４の対向位置に設け、この口付部２と枢着部４とを結ぶ直線と直交する容器本体１の側方に握持部７を突設すると共に、この握持部７は、片手で握持可能な上下方向に長い形状に形成し、容器本体１の上部の外周面であって且つ握持部７を握持した手８の親指８Ａが届く位置に閉塞蓋３の閉塞ロック状態を係止保持する係止部５の解除操作部６を設けた飲料用容器。【選択図】図９
2011178420.tif 000002
【特許請求の範囲】
【請求項１】
容器本体の上部にカップ形状の口付部を設け、この口付部を覆う閉塞蓋を容器本体の上部に枢着部を介して起伏回動開閉自在に設けると共に、この閉塞蓋を開放起動する方向に回動付勢する付勢機構を前記容器本体若しくは前記閉塞蓋若しくは前記枢着部に設け、この閉塞蓋に係止して閉塞蓋を閉塞状態に保持する係止部を前記容器本体に設け、この係止部の閉塞蓋への係止状態を解除する解除操作部を容器本体に設けて、この解除操作部を解除操作することにより閉塞蓋が自動開放起動する構成とした飲料用容器において、前記口付部は、前記枢着部の対向位置に設け、この口付部と枢着部とを結ぶ直線と直交する前記容器本体の側方に握持部を突設すると共に、この握持部は、片手で握持可能な上下方向に長い形状に形成し、前記容器本体の上部の外周面であって且つ前記握持部を握持した手の親指が届く位置に前記解除操作部を設けて、この解除操作部を、握持部を握持した手の親指で解除操作し得るように構成したことを特徴とする飲料用容器。
【請求項２】
前記握持部は、手の人差し指と中指と薬指と小指を同時に掛けて握持可能な上下方向に長い形状に形成したことを請求項１記載の飲料用容器。
【請求項３】
前記解除操作部は、前記握持部に対し接離方向にスライド移動可能に設けると共に、この解除操作部を握持部に対しスライド移動することで前記係止部の前記閉塞蓋への係止状態を解除し得るように構成したことを特徴とする請求項１，２のいずれか１項に記載の飲料用容器。
【請求項４】
前記解除操作部は、前記容器本体の横方向にスライド移動可能に設けたことを特徴とする請求項３記載の飲料用容器。
【請求項５】
前記解除操作部は、前記容器本体の上部の外周面より外方へ突設したことを特徴とする請求項１〜４のいずれか１項に記載の飲料用容器。
【請求項６】
前記解除操作部は、対向する前記口付部と前記枢着部との対向外側位置であって前記口付部が存する側の前記容器本体の上部外周面に、前記握持部と隣接状態にして設けたことを特徴とする請求項１〜５のいずれか１項に記載の飲料用容器。
【発明の詳細な説明】
【技術分野】
【０００１】
本発明は、閉塞蓋がワンタッチで開いてカップ形状の口付部が露出し、この口付部に直接口を付けて飲むことができる飲料用容器に関するものである。
【背景技術】
【０００２】
従来から、容器本体の上部にカップ形状（有底筒状）の口付部を有する栓体が設けられると共に、この口付部の底部に注出孔が貫通形成され、この栓体に前記口付部を覆う閉塞蓋が起伏回動開閉自在に設けられると共に、この閉塞蓋は開放起動する方向に回動付勢されるように構成され、この閉塞蓋に係止して閉塞蓋を閉塞状態に保持する係止部が前記栓体に設けられ、この係止部の閉塞蓋への係止状態を解除する解除操作部が栓体に設けられ、この解除操作部を解除操作すると閉塞蓋が自動開放起動して、前記閉塞蓋を開放することで露出した前記口付部に直接口を付けて飲料を飲むことができるようにした飲料用容器が提案されている（例えば、特許文献１，特許文献２参照。）。
【先行技術文献】
【特許文献】
【０００３】
【特許文献１】特開２００９−５７０６４号公報
【特許文献２】特許第３６２００３９号公報
【発明の概要】
【発明が解決しようとする課題】
【０００４】
本発明は、この種の飲料用容器の実用性を追求したもので、片手で握持部を握持してこの握持動作に続く一連の片手操作により容易に閉塞蓋を開いて飲料を飲むことができる実用性に優れた飲料用容器を提供することが技術的課題である。
【課題を解決するための手段】
【０００５】
添付図面を参照して本発明の要旨を説明する。
【０００６】
容器本体１の上部にカップ形状の口付部２を設け、この口付部２を覆う閉塞蓋３を容器本体１の上部に枢着部４を介して起伏回動開閉自在に設けると共に、この閉塞蓋３を開放起動する方向に回動付勢する付勢機構９を前記容器本体１若しくは前記閉塞蓋３若しくは前記枢着部４に設け、この閉塞蓋３に係止して閉塞蓋３を閉塞状態に保持する係止部５を前記容器本体１に設け、この係止部５の閉塞蓋３への係止状態を解除する解除操作部６を容器本体１に設けて、この解除操作部６を解除操作することにより閉塞蓋３が自動開放起動する構成とした飲料用容器において、前記口付部２は、前記枢着部４の対向位置に設け、この口付部２と枢着部４とを結ぶ直線と直交する前記容器本体１の側方に握持部７を突設すると共に、この握持部７は、片手で握持可能な上下方向に長い形状に形成し、前記容器本体１の上部の外周面であって且つ前記握持部７を握持した手８の親指８Ａが届く位置に前記解除操作部６を設けて、この解除操作部６を、握持部７を握持した手８の親指８Ａで解除操作し得るように構成したことを特徴とする飲料用容器に係るものである。
【０００７】
また、前記握持部７は、手８の人差し指８Ｂと中指８Ｃと薬指８Ｄと小指８Ｅを同時に掛けて握持可能な上下方向に長い形状に形成したことを請求項１記載の飲料用容器に係るものである。
【０００８】
また、前記解除操作部６は、前記握持部７に対し接離方向にスライド移動可能に設けると共に、この解除操作部６を握持部７に対しスライド移動することで前記係止部５の前記閉塞蓋３への係止状態を解除し得るように構成したことを特徴とする請求項１，２のいずれか１項に記載の飲料用容器に係るものである。
【０００９】
また、前記解除操作部６は、前記容器本体１の横方向にスライド移動可能に設けたことを特徴とする請求項３記載の飲料用容器に係るものである。
【００１０】
また、前記解除操作部６は、前記容器本体１の上部の外周面より外方へ突設したことを特徴とする請求項１〜４のいずれか１項に記載の飲料用容器に係るものである。
【００１１】
また、前記解除操作部６は、対向する前記口付部２と前記枢着部４との対向外側位置であって前記口付部２が存する側の前記容器本体１の上部外周面に、前記握持部７と隣接状態にして設けたことを特徴とする請求項１〜５のいずれか１項に記載の飲料用容器に係るものである。
【発明の効果】
【００１２】
本発明は上述のように構成したから、飲料を飲む時に片手で握持部を握持して容易に容器本体を扱うことができ、しかも、握持部を手で握持する動作に続く一連の動作のうちに、この握持部を握持した手の親指で解除操作部を解除操作して露出した口付部を口元へと運ぶことができるので、あたかも片手でジョッキを扱うかのようにして容易に且つ迅速に飲料を飲むことができ、その上、握持部を口付部と閉塞蓋の枢着部とを結ぶ直線と直交する方向に向けて突設したため、握持部を通常の使い方で握持して、閉塞蓋の枢着部から離れた口付部位置に口を付けるようにすれば、この握持部が口付部に口を付ける際の邪魔にならないなど、極めて実用性に優れた飲料用容器となる。
【００１３】
また、請求項２記載の発明においては、握持部を極めて安定的に握持でき、容器本体を確実にジョッキのようにして扱うことができる一層取り扱い性に優れた飲料用容器となる。
【００１４】
また、請求項３，４記載の発明においては、握持部を片手で握持したままその手の親指で解除操作部をスライド操作して容易に解除操作することができる一層実用性に優れた飲料用容器となり、特に解除操作部を容器本体の横方向にスライド操作する請求項４記載の発明によれば、握持部を握持したまま親指の高さを変えずに解除操作部をスライド解除操作できるので、握持部を握持したままでの解除操作を一層容易に行うことができる。
【００１５】
また、請求項５記載の発明においては、解除操作部が容器本体の外周面より外方へ突設しているため、握持部を握持した手の親指での解除操作部の解除操作が一層容易に行われる一層実用性に優れた飲料用容器となる。
【００１６】
また、請求項６記載の発明においては、解除操作部が握持部を握持した手の親指で操作し易い位置にあるため、解除操作部を一層容易に解除操作することができる一層実用性に優れた飲料用容器となる。
【図面の簡単な説明】
【００１７】
【図１】本実施例を示す斜視図である。
【図２】本実施例の閉塞蓋を開放した状態を示す密閉栓と閉塞栓とを省略した平面図である。
【図３】本実施例の閉塞蓋の閉塞ロック状態を示す部分拡大側断面図である。
【図４】本実施例の閉塞蓋の開放状態を示す部分拡大側断面図である。
【図５】本実施例の解除操作部による係止部の解除構造を示す部分拡大説明平面図である。
【図６】本実施例の解除操作の作動を示す部分拡大説明斜視図である。
【図７】本実施例の握持部を片手で握持した状態を示す説明正面図である。
【図８】図７に続いて、握持部を握持した手の親指で解除操作部をスライド解除操作する様子を示す説明平面図である。
【図９】図８に続いて、口付部を口に付けて容器本体内の飲料を飲む様子を示す説明斜視図である。
【発明を実施するための形態】
【００１８】
好適と考える本発明の実施形態を、図面に基づいて本発明の作用を示して簡単に説明する。
【００１９】
閉塞蓋３を容器本体１の上部に伏動回動して口付部２を覆うことができ（閉塞蓋３が閉塞状態となり）、閉塞蓋３に係止部５を係止することでこの閉塞状態を維持できる。
【００２０】
容器本体１内の飲料を飲む場合は、握持部７を手８で握持して容器本体１（口付部２）を口元へと運ぶことができるが、この際、上下方向に長い形状の握持部７は、片手で握持して容易に容器本体１を携帯操作可能である。
【００２１】
また、握持部７を手８で握持した際、この握持部７を握持した手８の親指８Ａが届く位置にある解除操作部６を、握持部７を握持したまま親指８Ａで解除操作することができ、この解除操作部６の解除操作により係止部５の閉塞蓋３への係止状態を解除すると、閉塞蓋３が付勢機構９により自動開放起動してカップ形状の口付部２が露出するので、容器本体１を持ち上げて口付部２を口元へと運び、口付部２に口に付けて飲料を飲むことができる。
【００２２】
従って、握持部７を手８で握持する動作に続いて簡単に解除操作部６を解除操作して口付部２を露出させることができ、引き続いて露出させた口付部２を口元へと運んで（口に付けて）飲料を飲む動作を行うことができる。
【００２３】
即ち、握持部７を握持する動作と、解除操作部６を解除操作する動作と、口付部２を口に付けて飲料を飲む動作とを、片手での一連の動作のうちに行うことができるので、飲料を飲みたい場合には、片手での簡単な操作により素早く飲むことができる。
【００２４】
また、口付部２に口を付ける際には、閉塞蓋３が邪魔にならない枢着部４から最も離れた場所に口を付けるようにすると、口付部２と枢着部４とを結ぶ直線と直交する容器本体１の側方に突設した握持部７が、この口を付ける場所の側方に突設することになるので、この握持部７が口付部２に口を付ける際の邪魔にならない。
【００２５】
従って、例えばビールジョッキを持つようにして、ユーザーが握持部７を片手で握持して操作すれば、口付部２に口を付ける際に閉塞蓋３も握持部７も邪魔にならず、非常に飲み易い。
【００２６】
また、カップ形状の口付部２は、この口付部２に飲料を溜めることができる。従って、例えば、飲料が熱くて飲みにくい場合に、カップ形状の口付部２に飲料を溜め置いて冷ましてから飲むようにすることもできる。
【実施例】
【００２７】
本発明の具体的な実施例について図面に基づいて説明する。
【００２８】
本実施例は、図１に示すような携帯型の水筒に適用したもので、円筒状の容器本体１の上部にカップ形状に低く立と上がり突出する口付部２を有する樹脂製の栓体10を付設している。
【００２９】
また、この栓体10には枢着部４を設け、この枢着部４を介して前記口付部２を上方から覆う閉塞蓋３を栓体10に起伏回動開閉自在に設けると共に、この閉塞蓋３を開放起動する方向に回動付勢する付勢機構９を前記枢着部４に設け、この閉塞蓋３に係止して閉塞蓋３を閉塞状態に保持する係止部５を栓体10に設け、この係止部５の閉塞蓋３への係止状態を解除する解除操作部６を栓体10に設けて、この解除操作部６を解除操作すると閉塞蓋３が自動開放起動するように構成している。
【００３０】
即ち、本実施例では、口付部２と閉塞蓋３と枢着部４と係止部５と解除操作部６とを有する栓体10を容器本体１の上部に付設することで、この栓体10を介して口付部２と閉塞蓋３と枢着部４と係止部５と解除操作部６とを容器本体１の上部に間接的に設けた場合を示している。尚、口付部２と閉塞蓋３と枢着部４と係止部５と解除操作部６とを容器本体１の上部に直接的に設けても良い。また、前記付勢機構９は、容器本体１の上部や栓体10の上部や閉塞蓋３に設けても良い。
【００３１】
更に具体的に説明すると、前記栓体10は、容器本体１の上部に固定される短円筒状の下半体16と、この下半体16に対し着脱自在に装着可能な有天短円筒状で且つ下半体16と同等の外径寸法を有する上半体18とから成り、この栓体10の上半体18に、前記口付部２，前記閉塞蓋３，前記枢着部４，前記係止部５，前記解除操作部６を設けている。
【００３２】
また、この下半体16と上半体18の着脱構造は、下半体16の内周面に雌ネジ17を形成する一方、上半体18の周壁部を下半体16より径小に形成すると共にこの周壁部の外周面に雄ネジ19を形成して、下半体16に上半体18を着脱自在に螺着する構造としている。
【００３３】
また、この栓体10の上半体18の天面部には、この上半体18の外径寸法よりやや径小となるようにして円筒状の立ち上がり壁部２Ａを一体成形し、この立ち上がり壁部２Ａとこの立ち上がり壁部２Ａに周囲を囲まれた上半体18の天面部（上面部）でなる底壁部２Ｂとで有底円筒状（カップ形状）の前記口付部２を構成しており、このカップ形状の口付部２の立ち上がり壁部２Ａの一部に口を付けて容器本体１内の飲料を飲むことができ、この口付部２内に飲料を一時的に溜め置くこともできるようにしている。
【００３４】
また、この口付部２の立ち上がり壁部２Ａは、一方側（飲料容器１の前側）が高く他方側（飲料容器１の後側）が低くなる形状に形成し、この口付部２の最も高い立ち上がり壁部２Ａ分に臨設する前記底壁部２Ｂの一方側端部には、前記下半体16を介して容器本体１内と連通する注出孔11を貫通形成し、最も低い立ち上がり壁部２Ａ分に臨設する底壁部２Ｂの他方側端部には、下半体16を介して容器本体１内と連通し且つ前記注出孔11より径小な通気孔12を貫通形成している。
【００３５】
また、前記注出孔11と前記通気孔12とを結ぶ直線上であって、通気孔12より外側（後側）の上半体18の上部周縁部に前記枢着部４を上方へ向けて突設し、この枢着部４に前記閉塞蓋３を起伏回動開閉自在に枢着している。更に、枢着部４の枢着軸15には、前記付勢機構９として採用したトーションバネ９を巻回装着して、このトーションバネ９により閉塞蓋３が常時開放起動する方向に回動付勢される構成としている。
【００３６】
即ち、本実施例では、注出孔11と前記通気孔12と枢着部４とが前後方向に略一直線上に並設するようにして栓体10（上半体18）の上部に配設し、これにより口付部２と枢着部４とが対向位置に配設するように構成している。
【００３７】
また、この口付部２は、立ち上がり壁部２Ａの前記枢着部４から最も離れて最も高く突出している前側部位を口を付けるのに好適な場所とし、この口付部２の前側部位にユーザーが口を付けると、閉塞蓋３が口（顔）の反対側に位置して最も邪魔にならない状態で飲料を飲むことができる構成としている。即ち、この立ち上がり壁部２Ａの最も高く突出する前側部分が口を付ける場所の視覚的な目印となるようにしている。
【００３８】
また、本実施例の前記閉塞蓋３は、栓体10と同等の外径寸法を有し且つ口付部２を上方から覆うように被嵌して隠蔽し得る下部開口型の短円筒体とし、この閉塞蓋３の下部周縁部の所定位置を前記枢着部４に枢着することで栓体10（の上半体18）に対して起伏開閉回動自在に設けると共に、閉塞状態で閉塞蓋３と栓体10の外周面とが略面一状態となるように構成している。
【００３９】
また、この閉塞蓋３の内部には、前記注出孔11に向かって垂設する密閉栓13と、前記通気孔12に向かって垂設する閉塞栓14とを設けて、閉塞蓋３が閉塞状態となった際に密閉栓13が注出孔11を密閉し且つ閉塞栓14が通気孔12を閉塞するように構成している。
【００４０】
この閉塞蓋３に係止して閉塞蓋３を閉塞状態に保持する本実施例の前記係止部５は、前記栓体10の上半体18の天面部であって、前記枢着部４と反対側の前側周縁部寄りに設けている。
【００４１】
更に詳しくは、係止部５は、一端に係止爪部21を有し他端に傾動軸22を有する帯板状部材20で構成し、前記上半体18の前側の前記口付部２より外側位置であって、前記注出孔11と前記通気孔12と前記枢着部４とを結ぶ直線の延長線上に取付穴29を縦設状態に穿設し、この取付穴29に前記傾動軸22を下にして係止部５（帯板状部材20）を縦設状態に内装すると共に、傾動軸22を取付穴29の下部に軸着することでこの係止部５を栓体10の内外方向（前後）に傾動回動可能に設け、更にこの縦設状態の係止部５の上端に存する前記係止爪部21を、取付穴29より上方へ突出状態となるように配設してこの係止爪部21を栓体10（上半体18）の天面部より露出状態に設けている。
【００４２】
また、この係止部５と取付穴29には、図示省略の係止付勢用弾性体を設けてこの係止付勢用弾性体により係止部５が常時栓体10の外方（前方）へ付勢されるように構成し、この係止部５の外側（容器本体１に対して前側）の板面には後述する押圧体27が圧接する押圧用突起23を縦設状態に突設している。
【００４３】
一方、前記閉塞蓋３の前記枢着部４と反対側の周縁部に、前記係止部５の係止爪部21が係合係止する係合部24（係合爪部24）を垂設状態に一体成形し、閉塞蓋３を下方に伏せて口付部２を覆った際に（閉塞蓋３を閉塞状態とした際に）、この係合部24と係止部５の係止爪部21とが係合係止可能となるように係合部24の垂設長並びに係止爪部21の前記取付穴29からの突出長さを設定構成し、この閉塞蓋３の閉塞状態では、係止部５を付勢する前記係止付勢用弾性体によって係止爪部21が係合部24に係合係止した状態が維持される（閉塞蓋３の閉塞状態がロックされる）構成としている。
【００４４】
即ち、閉塞蓋３を閉塞状態とすると、係止付勢用弾性体により自動的に係止爪部21が係合部24に係合係止して閉塞蓋３が閉塞ロック状態となる構成としている。
【００４５】
この係止部５の閉塞蓋３への係止状態を解除する本実施例の前記解除操作部６は、平面視で前記上半体18の外周面より山形に突出する形状のスライド切替式のスイッチを採用し、この解除操作部６を、前記上半体18の前側の外周面に突設している。
【００４６】
また、この解除操作部６は、上半体18の外周面に沿って前記容器本体１の横方向（水平方向）にスライド自在に設けている。
【００４７】
更に詳しくは、上半体18の外周面に水平方向に長さを有するガイド長窓25を形成し、このガイド長窓25に解除操作部６の内側（裏側）に突設した移動用突起26を嵌合することで、この移動用突起26がガイド長窓25に移動を許容される範囲内で水平方向に往復スライド移動するように設けている。
【００４８】
また、この解除操作部６によって係止部５の閉塞蓋３への係止状態を解除する構造は、前記移動用突起26の突出先端部に、上半体18の周壁部と同調する湾曲形状で且つ水平方向に長い帯板状の押圧体27の基端部を付設して、この押圧体27が解除操作部６のスライド移動に伴って上半体18内をこの上半体18の内周面に押圧体27の板面が沿うようにして水平方向に往復スライド移動するように設けている。
【００４９】
また、この押圧体27は、その先端側部分を押圧部27Ａとしてこの押圧部27Ａが解除操作部６のスライド位置にかかわらず前記係止部５の帯板状部材20の外側（前側）に位置するように押圧体27の長さ寸法並びに解除操作部６のスライド可能範囲を設定し、更に押圧部27Ａは、先端部が基端部側へ行くほど前後幅が徐々に拡大する（徐々に板厚が増す）形状に形成して、解除操作部６の操作によって押圧部27Ａが進出方向にスライド移動すると、徐々に厚みが増すこの押圧部27Ａがやがて前記帯板状部材20の押圧用突起23に当接して前記係止付勢用弾性体の付勢力に抗して係止部５を上半体18の内方（後方）へと押圧傾動させることになり、これにより前記係止爪部21が前記係合部24から係脱して閉塞蓋３の閉塞ロック状態が解除され、閉塞蓋３が自動起動回動して口付部２が容器本体１の上部に露出する構成としている。
【００５０】
また、解除操作部６には、この解除操作部６に設けた前記押圧体27が前記係止部５を押圧しない状態に（押圧部27Ａを退避方向に）付勢保持する付勢体28（抗縮弾性を有するコイルバネ28）を並設状態に設けて、常態では付勢体28により押圧部27Ａが係止部５を押圧せずに閉塞蓋３が閉塞ロック状態の時はその状態が保持され、この付勢体28の付勢力に抗して解除操作部６をスライド操作すると閉塞蓋３のロック状態を解除して閉塞蓋３を自動起動回動でき、解除操作部６を放せば、付勢体28の付勢力により解除操作部６（押圧体27）が自動的に元の位置に復帰する構成としている。
【００５１】
従って、前記係止付勢用弾性体並びに付勢体28の付勢力により係止部５の係合部24への係止状態が勝手に解除されるようなことなく、解除操作部６をスライド操作しない限りは閉塞蓋３よる閉塞ロック状態が常に保持される構成としている。
【００５２】
本実施例では、前記容器本体１に握持部７を突設すると共に、この握持部７は、前記口付部２（の注出孔11と通気孔12）と前記枢着部４とを結ぶ直線と直交する容器本体１の側方に向けて突設している。
【００５３】
また、この握持部７は、片手で握持可能な上下方向に長い形状に形成し、この握持部７を片手で握持して容器本体１を傾けることにより、前記口付部２を口に付けて飲料を飲むことができるように構成している。
【００５４】
具体的には、前記栓体10の上半体18の外周面の左側面に外方へ向けて握持部７を突設している。即ち、本実施例では、握持部７を容器本体１の左側方に突設している。
【００５５】
更に詳しくは、握持部７は、上半体18の外周面から僅かに水平方向に突出する断面円形の取付杆部７Ｂと、この取付杆部７Ｂの突出先端部から下方へ垂下する板状の握持用柄部７ＡとからなるＬ字形体で構成している。
【００５６】
また、この握持部７の握持用柄部７Ａは、手８の親指８Ａ（第一指８Ａ）と人差し指８Ｂ（第二指８Ｂ）を上にした状態で、人差し指８Ｂと中指８Ｃ（第三指８Ｃ）と薬指８Ｄ（第四指８Ｄ）と小指８Ｅ（第五指８Ｅ）とを同時に掛けて握持可能な上下方向に長い形状に形成している。
【００５７】
また、この握持部７の握持用柄部７Ａは、手８で握持した際に容器本体１並びに栓体10の外周面との間に手８の指を入れることができる間隔を有するように前記取付杆部７Ｂの長さ寸法を設定構成している。
【００５８】
即ち、この握持部７は、ビールジョッキの握持部を持つようにして片手で握持して操作可能な構成としている。
【００５９】
また、本実施例では、前記容器本体１の上部外周面の、前記握持部７を握持した手８の親指８Ａが届く位置に前記解除操作部６を設けて、この解除操作部６を、握持部７を握持した手８の親指８Ａで解除操作し得るように構成している。
【００６０】
具体的には、前記解除操作部６は、対向する前記口付部２と前記枢着部４との対向外側位置であって、前記口付部２が存する側の前記容器本体１の上部外周面に、前記握持部７と隣接状態にして設けている。
【００６１】
更に詳しくは、口付部２の前記底壁部２Ｂに設けた前記注出孔11と前記通気孔12と前記枢着部４とを結ぶ直線と、この直線と直交する前記握持部７とがなす角（直角）の二等分線上となる前記容器本体１の前側上部外周面（図面では容器本体の上部に設けた栓体10の上半体18の前側外周面）に、前記解除操作部６が常態で位置するように設けている。
【００６２】
また、本実施例では、解除操作部６を、常態の位置から前記付勢体28の付勢力に抗して握持部７より離反する方向（前記係止部５に接近する方向）にスライド移動するように構成し、この解除操作部６の握持部７より離反する方向へのスライド操作により前記押圧体27の押圧部27Ａが進出スライド移動して係止部５の前記閉塞蓋３への係止状態が解除される構成としている。
【００６３】
尚、本発明は、本実施例に限られるものではなく、各構成要件の具体的構成は適宜設計し得るものである。
【符号の説明】
【００６４】
１  容器本体
２  口付部
３  閉塞蓋
４  枢着部
５  係止部
６  解除操作部
７  握持部
８  手
８Ａ  親指
８Ｂ  人差し指
８Ｃ  中指
８Ｄ  薬指
８Ｅ  小指
９  付勢機構
【図１】
2011178420.tif 000003
【図２】
2011178420.tif 000004
【図３】
2011178420.tif 000005
【図４】
2011178420.tif 000006
【図５】
2011178420.tif 000007
【図６】
2011178420.tif 000008
【図７】
2011178420.tif 000009
【図８】
2011178420.tif 000010
【図９】
2011178420.tif 000011